(57)【要約】【課題】原稿搬送補助装置を備える自動原稿搬送装置等の装置が大型化したり、高コスト化したりすることを抑制できる原稿搬送補助装置を提供する。【解決手段】原稿搬送補助装置１００は、カード積載部１１２の載置面１０５に積載した原稿をＡＤＦ５の原稿搬送経路５５の中途部近傍に設けられたカード挿入口７に向けて搬送するカード搬送用レバー１１１と、カード積載部１１２の載置面１０５に向けた方向に圧縮バネ１４０で付勢され、付勢方向に変位することで開閉可能なゲート部品１２０とを備え、ゲート部品１２０は、閉じたときにカード積載部１１２の載置面１０５に当接する第一面１２１と、搬送時にカードＣが当接して開いたときに付勢方向とは反対方向に力を受ける第二面１２２とを有する。【選択図】図７
2019163128.tif 000002
【特許請求の範囲】
【請求項１】
自動原稿搬送装置の給送口に向けて搬送される原稿枚数を、複数の原稿が原稿積載部に積載されているときに１枚に規制して、前記自動原稿搬送装置による原稿搬送を補助する原稿搬送補助装置において、
当該原稿搬送補助装置は、前記原稿積載部の原稿載置面に積載した原稿を前記自動原稿搬送装置の搬送経路の中途部近傍に設けられた給送口に向けて搬送する搬送手段と、前記原稿載置面に向けた方向に付勢部材で付勢され、付勢方向に変位することで搬出口を開閉可能な開閉部材とを備え、
前記開閉部材は、閉じたときに前記原稿載置面に当接する第一面と、原稿搬送時に原稿が当接して開くときに前記付勢方向とは反対方向に変位する力を受ける第二面とを有することを特徴とする原稿搬送補助装置。
【請求項２】
請求項１に記載の原稿搬送補助装置において、
前記付勢部材による付勢方向は、略垂直な方向であることを特徴とする原稿搬送補助装置。
【請求項３】
請求項１又は２に記載の原稿搬送補助装置において、
前記開閉部材の前記第二面は、前記付勢方向に直交していることを特徴とする原稿搬送補助装置。
【請求項４】
請求項２又は３に記載の原稿搬送補助装置において、
原稿を搬送するときの搬送方向に平行で垂直な面での前記開閉部材を付勢する付勢力の作用線と、前記開閉部材の自重による力の作用線とは略一致するとともに、
前記略一致する２つの作用線は、搬送される原稿が前記開閉部材の前記第二面に当接し始める当接位置から、前記開閉部材が閉じているときに前記原稿載置面に当接している前記第二面の端部位置までの領域に存在することを特徴とする原稿搬送補助装置。
【請求項５】
請求項１乃至４のいずれか一に記載の原稿搬送補助装置において、
搬送時に原稿が当接する前記開閉部材の前記第二面の少なくとも一部はゴム材料で構成されていることを特徴とする原稿搬送補助装置。
【請求項６】
請求項１乃至４のいずれか一に記載の原稿搬送補助装置において、
前記原稿載置面と当接する前記開閉部材の前記第一面の少なくとも一部はゴム材料で構成されていることを特徴とする原稿搬送補助装置。
【請求項７】
請求項１乃至４のいずれか一に記載の原稿搬送補助装置において、
搬送時に原稿が当接する前記開閉部材の前記第二面の少なくとも一部はＰＯＭ材料で構成されていることを特徴とする原稿搬送補助装置。
【請求項８】
請求項１乃至４のいずれか一に記載の原稿搬送補助装置において、
前記原稿載置面と当接する前記開閉部材の前記第一面の少なくとも一部はＰＯＭ材料で構成されていることを特徴とする原稿搬送補助装置。
【請求項９】
請求項１乃至８のいずれか一に記載の原稿搬送補助装置において、
前記開閉部材の摺動部、及び前記開閉部材を前記付勢方向にガイドするガイド部材のガイド部の少なくとも一部はＰＯＭ材料で構成されていることを特徴とする原稿搬送補助装置。
【請求項１０】
請求項１乃至９のいずれか一に記載の原稿搬送補助装置において、
前記付勢方向における、前記開閉部材を前記付勢方向にガイドするガイド部材と前記開閉部材との間に、当該原稿搬送補助装置で搬送する仕様原稿の最大厚さ分の隙間を設けたことを特徴とする原稿搬送補助装置。
【請求項１１】
請求項１乃至１０のいずれか一に記載の原稿搬送補助装置において、
前記付勢部材は圧縮バネであることを特徴とする原稿搬送補助装置。
【請求項１２】
請求項１乃至１１のいずれか一に記載の原稿搬送補助装置において、
前記開閉部材は、原稿搬送方向に直交する原稿幅方向に沿って配置された複数の付勢部材により付勢されており、
前記複数の付勢部材の内の、２つの付勢部材が、前記開閉部材の前記原稿幅方向の両端部近傍に１つずつ設置され、
前記原稿幅方向における搬送される原稿の中央位置が、前記原稿幅方向における前記複数の付勢部材による付勢力の合力の作用線の位置と略一致することを特徴とする原稿搬送補助装置。
【請求項１３】
請求項１乃至１２のいずれか一に記載の原稿搬送補助装置において、
前記付勢部材を位置決めするための前記付勢部材の内径と略一致する凸部、及び前記付勢部材の外形と略一致する凹部の内の少なくともいずれかを、前記開閉部材の前記付勢部材が当接する当接部、又は前記開閉部材をガイドするガイド部材の前記開閉部材が前記付勢方向で当接する当接面のいずれかに有することを特徴とする原稿搬送補助装置。
【請求項１４】
請求項１乃至１３のいずれか一に記載の原稿搬送補助装置において、
搬送する原稿の厚さが０．４８[ｍｍ]以上０．７８[ｍｍ]以下であることを特徴とする原稿搬送補助装置。
【請求項１５】
請求項１乃至１４のいずれか一に記載の原稿搬送補助装置において、
搬送する原稿の縦と横の寸法が、それぞれ５３．９８［ｍｍ］と８５．６０［ｍｍ］であることを特徴とする原稿搬送補助装置。
【請求項１６】
請求項１乃至１５のいずれか一に記載の原稿搬送補助装置において、
搬送する原稿が「キャリアシート」、「プラスチックカード」、「はがき」、「封筒」、「帳票」、「クリアファイル」、及び「名刺」の少なくともいずれかであることを特徴とする原稿搬送補助装置。
【請求項１７】
請求項１乃至１６のいずれか一に記載の原稿搬送補助装置において、
前記自動原稿搬送装置に対して着脱可能に構成されていることを特徴とする原稿搬送補助装置。
【請求項１８】
搬送経路の中途部近傍に設けられた給送口に向けて原稿を搬送する原稿搬送補助手段を備える自動原稿搬送装置において、
前記原稿搬送補助手段として、請求項１乃至１７のいずれか一に記載の原稿搬送補助装置を備えることを特徴とする自動原稿搬送装置。
【請求項１９】
搬送経路の中途部近傍に設けられた給送口に向けて原稿を搬送する原稿搬送補助手段を設ける自動原稿搬送装置を備えた原稿読取装置において、
前記原稿搬送補助手段として、請求項１乃至１７のいずれか一に記載の原稿搬送補助装置を設ける自動原稿搬送装置を備えることを特徴とする原稿読取装置。
【請求項２０】
搬送経路の中途部近傍に設けられた給送口に向けて原稿を搬送する原稿搬送補助手段を設ける自動原稿搬送装置を備える画像形成装置において、
前記原稿搬送補助手段として、請求項１乃至１７のいずれか一に記載の原稿搬送補助装置を設ける自動原稿搬送装置を備えることを特徴とする画像形成装置。
【発明の詳細な説明】
【技術分野】
【０００１】
本発明は、原稿搬送補助装置、自動原稿搬送装置、原稿読取装置、及び画像形成装置に関するものである。
【背景技術】
【０００２】
従来から、原稿読取装置に設けたＡＤＦ等の自動原稿搬送装置の給送口に向けて搬送される原稿を、複数の原稿が原稿積載部に積載されているときに１枚に規制して、自動原稿搬送装置による原稿搬送を補助する原稿搬送補助装置が知られている。
例えば、特許文献１には、複数の原稿（原稿束）が原稿積載部に積載されているときに、自動原稿搬送装置の給送口（給紙口）に向けて搬送される原稿を１枚に規制する、次のような構成が記載されている。
【０００３】
最上位の原稿に上方から当接して回動する回動リブと、複数の原稿を載置できる原稿積載部と、原稿積載部の給送口側の略半分を構成し、最上位の原稿を搬送（給紙）適正位置に維持（保持）するように、給送口側が回動可能な原稿テーブルとを有している。また、最上位の原稿が搬送適正位置に到達したときに押し上げられた回動リブが当接し、回動リブの回動を規制する固定規制部材と、原稿テーブルを回動させる駆動源である駆動モータ（底板上昇モータ）も有している。そして、最上位の原稿を搬送適正位置に保持するように駆動モータの駆動を制御している。
このように構成することで、安定して原稿を搬送することができるとされている。
【発明の概要】
【発明が解決しようとする課題】
【０００４】
しかしながら、従来の原稿搬送補助装置には、自動原稿搬送装置の搬送経路の中途部近傍に設けられた給送口に向けて原稿を搬送する構成に用いる場合、これを備える自動原稿搬送装置等の装置が大型化したり、高コスト化したりするという問題があった。
【課題を解決するための手段】
【０００５】
上述した課題を解決するために、請求項１に記載の発明は、自動原稿搬送装置の給送口に向けて搬送される原稿枚数を、複数の原稿が原稿積載部に積載されているときに１枚に規制して、前記自動原稿搬送装置による原稿搬送を補助する原稿搬送補助装置において、当該原稿搬送補助装置は、前記原稿積載部の原稿載置面に積載した原稿を前記自動原稿搬送装置の搬送経路の中途部近傍に設けられた給送口に向けて搬送する搬送手段と、前記原稿載置面に向けた方向に付勢部材で付勢され、付勢方向に変位することで搬出口を開閉可能な開閉部材とを備え、前記開閉部材は、閉じたときに前記原稿載置面に当接する第一面と、原稿搬送時に原稿が当接して開くときに前記付勢方向とは反対方向に変位する力を受ける第二面とを有することを特徴とする。
【発明の効果】
【０００６】
本発明によれば、原稿搬送補助装置を備える自動原稿搬送装置等の装置が大型化したり、高コスト化したりすることを抑制できる原稿搬送補助装置を提供できる。
【図面の簡単な説明】
【０００７】
【図１】一実施形態に係る複写機の概略構成図。
【図２】画像形成装置に備えた読取装置の基本構成の概略構成図。
【図３】カード挿入口、及び手差しトレイの説明図。
【図４】原稿搬送補助装置を設けずにカードをカード挿入口や手差しトレイにユーザが手動で載置しつつ搬送する構成の説明図。
【図５】実施例１に係る、ユーザがＡＤＦに取り付けられた原稿搬送補助装置にカードを載置して、手動で搬送する構成の斜視説明図。
【図６】原稿搬送補助装置をＡＤＦに取り付けた断面説明図。
【図７】ＡＤＦに取り付けた原稿搬送補助装置からのカード搬送の説明断面図。
【図８】原稿搬送補助装置の基本的な構成と、ＡＤＦとの位置関係についての説明図。
【図９】原稿搬送補助装置によるカードＣの搬送手順の説明図。
【図１０】原稿搬送補助装置によるカードの分離機構の説明図。
【図１１】複数枚のカードを積載したときの２枚目のカードに発生する力の説明図。
【図１２】実施例１の構成を適用した原稿搬送補助装置の試作機での評価結果。
【図１３】ゲート部品からの反力についての説明図。
【図１４】ゲート部品の第二面の角度を２つの角度に変化させた場合の搬送抵抗力の説明図。
【図１５】実施例２に係る、原稿搬送補助装置の概略構成説明図。
【図１６】原稿搬送補助装置によるカードの搬送方向の説明図。
【図１７】ゲート部材の説明図。
【図１８】カードを搬送時するときのゲート部品の動作の説明図。
【図１９】実施例３に係る、ゲート部品に作用する付勢力の作用線とゲート部品の自重の作用線、及び２つの作用線が存在する領域の説明図。
【図２０】実施例４の構成例５に係る、ゲート部品が変位するときに互いに摺動するゲート部品のゲート摺動部と、ガイド部のガイド摺動部の説明図。
【図２１】実施例５に係る、ゲート部品の付勢方向における変位量の説明図である。
【図２２】実施例６に係る、ゲート部品の主走査方向における、圧縮バネの配置と、搬送するカードの幅方向の中央位置についての説明図。
【図２３】実施例７に係る、ゲート部品のみに、第一凹部等を設けた場合の２つの構成例の説明図。
【発明を実施するための形態】
【０００８】
以下、本発明を適用した原稿搬送補助装置１００を取り付けた自動原稿搬送装置（以下、単に「ＡＤＦ」とも称する。）を備えた画像形成装置として、電子写真方式の複写機（以下、複写機１という）の一実施形態について説明する。
図１は、本実施形態に係る複写機１の概略構成図である。
本実施形態の複写機１は、主に、画像形成部３と、画像読取部４と、ＡＤＦ５とから構成されている。本実施形態の読取装置６は、主に、画像読取部４とＡＤＦ５とから構成されている。
【０００９】
本実施形態の画像形成部３は、例えば、潜像形成手段としての露光ユニットと、複数の潜像担持体としての感光体ドラムと、シアン（Ｃ）、マゼンタ（Ｍ）、イエロー（Ｙ）、ブラック（Ｋ）の４色のトナーを用いる現像装置と、中間転写部と、二次転写部と、定着部などを備えた電子写真方式の画像形成装置である。なお、インクジェット方式などの他の方式の画像形成装置であっても良い。
【００１０】
画像形成部３は、読取装置６の画像読み取りによって得られる画像データや、パソコン等の外部装置から送信される画像データに基づき、例えば、露光ユニットによって各色の感光体ドラムを露光して各感光体ドラム上に静電潜像を形成し、各色の現像装置で各感光体ドラム上の潜像にトナーを供給して現像する。また、画像形成部３は、各色の感光体ドラム上のトナー像を中間転写部の中間転写ベルトに互いが重なるように一次転写した後、二次転写部で記録材である記録紙上に二次転写し、定着部で記録紙上のトナー像を加熱及び加圧して定着させ、カラー画像を形成する。
【００１１】
図２は、画像形成装置に備えた読取装置６の基本構成の概略構成図である。そして、図２（ａ）がフラットベッドスキャナモードと、ＤＦスキャナモードの原稿トレイ５１（原稿テーブル）上に積載された原稿束を読み取る１パス両面同時読取の概要説明図、図２（ｂ）がＤＦスキャナモードの１パス両面同時読取の概要説明図である。
読取装置６は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）とに切替え可能に構成されている。
また、ＤＦスキャナモードには、原稿トレイ５１上に積載された原稿束を読み取る１パス両面同時読み取りと、手差しトレイ(手差しテーブル)６１上に積載（載置）したカード原稿等（以下、適宜、カードＣという。）の折り曲げられないシート原稿Ｓを搬送するストレート搬送して読み取るストレート１枚手差し読み取りがある。
【００１２】
フラットベッドスキャナモードにおいて、画像読取部４は、フラットベッドコンタクトガラス４１上の原稿（例えば原稿シート、厚紙、本等）の画像面に光を照射して、その画像面からの反射光を画像信号に変換することにより原稿画像を読み取ることができる。
ここで、原稿画像を読み取るときには、図中左よりに移動している表面読取用ＣＩＳ４５ａがフラットベッドコンタクトガラス４１下をガイド４６にガイドされて移動することで読み取りが行われる。
【００１３】
また、ＤＦスキャナモードの、シート載置台である原稿トレイ５１上に積載された原稿束を読み取る１パス両面同時読取においては、次のように読取が行われる。
ＡＤＦ５は、エンドフェンスにより幅方向が規制された原稿トレイ５１上に積載された原稿束からシート原稿Ｓを１枚ずつ、第一給送口５２の入口に配置された給紙・分離機構５４で分離して原稿搬送経路５５内に搬入し、原稿搬送経路５５に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１４】
具体的には、まず、原稿トレイ５１に原稿を載置し、シート原稿Ｓを第一センサ５３が検知する。操作パネル２００でスキャンを選択することで給紙・分離機構５４により原稿トレイ５１に載置された原稿から最上位のシート原稿Ｓが呼び出され、シート原稿Ｓは１枚に分離されローラで搬送される。第一原稿搬送機構２０３及び第二原稿搬送機構２０４で原稿が搬送されつつ、表面読取用ＣＩＳ４５ａと裏面読取用ＣＩＳ４５ｂで画像が読取られ、第三原稿搬送機構２０５で搬送され、最終的に排紙トレイ５６上に原稿が排紙される。
【００１５】
一方、ＤＦスキャナモードの、手差しトレイ６１上に積載したカードＣ等の折り曲げられないシート原稿Ｓを搬送するストレート搬送して読み取るストレート１枚手差し読取においては、次のように読取が行われる。
ＡＤＦ５は、原稿搬送経路５５の中途部近傍に開閉可能に設けられた手差しトレイ６１上に積載されたカードＣ等の折り曲げられないシート原稿Ｓを手差し給送口６２から手差し原稿搬送経路６４内に搬入し、手差し原稿搬送経路６４（原稿搬送経路５５の中途部の原稿搬送方向下流側の略同一平面上にあるストレート部分）に沿って搬送する。そして、その搬送中、シート原稿Ｓの表面側が、その搬送方向の上流側部分から順次部分的に画像読取部４の表面側コンタクトガラス４２ａに対面し、表面読取用ＣＩＳ４５ａにより読み取られるようになっている。一方、シート原稿Ｓの裏面側が、その搬送方向の上流側部分から順次部分的に画像読取部４の裏面側コンタクトガラス４２ｂに対面し、裏面読取用ＣＩＳ４５ｂにより読み取られる。
【００１６】
具体的には、まず、手差しトレイ６１上の原稿を手差し給送口６２に挿入することで手差し検知センサ６３が原稿を検知する。その約１秒後に第二原稿搬送機構２０４のローラが微小量回転し、原稿がニップ部で挟持され、原稿がプレフィードされる。そして、操作パネル２００でスキャンを選択することで第二原稿搬送機構２０４が回転し原稿を送る。表面読取用ＣＩＳ４５ａと裏面読取用ＣＩＳ４５ｂで原稿の両面が読取られた後、第三原稿搬送機構２０５で原稿が搬送され、排紙トレイ５６上に原稿が排紙される。
また、手差しトレイ６１には、図１の斜視図に示すように手差しトレイ６１を閉じた状態でもカードＣ等を挿入するためのカード挿入口７を設けており、手差しトレイ６１を開けなくてもカードＣ等を搬送することが可能に構成されている。
【００１７】
ここで、病院で診察券の更新や診察券の新規発行の際に患者が列をなして並ぶほど混雑することがよくあり、混雑解消のため病院側で診察券や身分証明書等、複数のプラスチックカード（以下、カード）を短い時間でスキャンしたいというニーズがある。このようなニッズがあるにも関わらず、従来のＡＤＦではユーザが１枚ずつ原稿を手差し入口にカードを挿入し、１回スキャンするごとに「スキャンスタートボタン」を押さなければならず、複数のカードを短い時間でスキャンできないという問題があった。
ドキュメントスキャナであれば５枚程度であればカードを連続スキャンできる機種もあるが、５枚程度では効果が薄いと考えられるとともに、ドキュメントスキャナはスキャン機能しか有しておらず、ＡＤＦの機能を持ち合わせいるとはいい難い。
つまり、従来のＡＤＦをでは十分に多い枚数のカードを短い時間でスキャンできないという問題があった。
【００１８】
そして、特に医療系業務での、診察券や身分証明書などのプラスチックカードのスキャンのニーズを受け、発明者は、次の２つのコンセプトで開発を行っていた。
（１）「ストレート１枚手差し通紙」機能
大事な原稿を曲げずにスキャンできる。つまり、原稿搬送時に手差しトレイのサイドフェンスを用いることで原稿が傾くことなくスキャンできる点。
（２）「１パス両面同時読取」機能
曲がらない原稿でも、フラットベッドコンタクトガラスを露出させるために圧板を開けずに、１回で両面スキャンできる点。
【００１９】
ここで、上記「（１）」に関して、従来の構成を、図を用いて説明しておく。
図３は、カード挿入口７、及び手差しトレイ６１の説明図であり、図３（ａ）がカード挿入口７の説明図、図３（ｂ）が手差しトレイ６１の説明図である。図４は、原稿搬送補助装置１００を設けずにカードＣをカード挿入口７や手差しトレイ６１にユーザが手動で載置しつつ搬送する構成の説明図である。そして、図４（ａ）がカード挿入口７にユーザが手動でカードＣをカード挿入口７に挿入（搬送）する構成の説明図、図４（ｂ）が手差しトレイ６１にユーザが手動でカードＣを載置して搬送する構成の説明図である。
【００２０】
カードＣ等をスキャンする従来の方法には次の二通りがある。
（１−１）
図３（ａ）に示すように手差しトレイ６１を開けずに、カードＣを手差しトレイ６１に設けたカード挿入口７に挿入する方法であり、図４（ａ）に示すようにユーザが手動でカードＣをカード挿入口７に挿入（搬送）する。
（１−２）
図３（ｂ）に示すように、手差しトレイ６１を開けて、サイドフェンスを原稿の大きさに調整してからカードＣを挿入口に挿入する方法であり、図４（ｂ）に示すようにユーザが手動で手差しトレイ６１にカードＣを載置して搬送する。
【００２１】
しかし、図３を用いて説明したいずれも方法でも、十分に多い枚数のカードＣを短い時間でスキャンできないという問題は解決できない。
そこで、特許文献１に記載された構成を適用した原稿搬送補助装置をカード挿入口７に接続した場合、十分に多い枚数のカードを短い時間でスキャンできるものの、次のような問題が生じることが分かった。
ＡＤＦ５の原稿搬送経路５５の中途部近傍に設けられたカード挿入口７（手差し給送口６２）に向けてカードＣを搬送する構成に用い場合、これを備えるＡＤＦ５、読取装置６、及び複写機１が大型化したり、高コスト化したりするという問題があった。
【００２２】
具体的には、原稿を分離する回動リブや原稿テーブルの長さ（腕の長さ）を所定の長さだけ確保する必要があり、原稿に与える力の作用線から回動中心までの距離が長くなるため、これを備えるＡＤＦ５、読取装置６、及び複写機１の水平方向のサイズが大型化するおそれが高い。
加えて、回動リブが原稿を押さえるときの接触部が点であるため、原稿を分離するために所定の搬送抵抗力を与えるためには、原稿テーブルを回動させる高トルクの駆動モータが必要となり、ＡＤＦ５、読取装置６、及び複写機１の高コスト化も招いてしまう。
以下、上述した主な不具合や、詳しくは後述する他の不具合を解決するために発明者が見出した、原稿搬送経路５５の中途部近傍に設けられたカード挿入口７に向けてカードＣを搬送する原稿搬送補助装置１００の構成について、複数の実施例を挙げて説明する。
【００２３】
（実施例１）
まず、本実施形態のＡＤＦ５（読取装置６）の原稿搬送経路５５の中途部近傍に設けられたカード挿入口７に向けてカードＣを搬送する原稿搬送補助装置１００の実施例１について、図を用いて説明する。
図５は、本実施例に係る、ユーザがＡＤＦ５に取り付けられた原稿搬送補助装置１００にカードＣを載置して、手動で搬送する構成の斜視説明図である。そして、図５（ａ）が原稿搬送補助装置１００に設けたカード積載部１１２の載置面にカードＣを載置する前の説明図、図５（ｂ）がカード積載部１１２の載置面にカードＣを載置して加圧した後にユーザが搬送するときの説明図である。図６は、原稿搬送補助装置１００をＡＤＦ５に取り付けた断面説明図、図７は、ＡＤＦ５（読取装置６）に取り付けた原稿搬送補助装置１００からのカード搬送の説明断面図である。
【００２４】
図５（ａ）、図５（ｂ）の斜視説明図に示すように、本実施例の原稿搬送補助装置１００は、ＡＤＦ５の手差しトレイ６１を閉じた状態のカード挿入口７と、カードの搬位置（搬出口１１５）との位置が一致するようにＡＤＦ５（手差しトレイ６１）に取り付けられる。
そして、図５（ａ）に示すように、取り付けられた状態の原稿搬送補助装置１００の加圧機構１０１を積載ケース１０２から回動するようにして開き、カードＣを積載するカード積載部１１２の載置面を露出させ、所望する枚数のカードＣを積載する。その後、加圧機構１０１を回動させて閉じてカードＣを加圧した後、ユーザが最下方に積載されたカードＣを搬送させるためにカード搬送用レバー１１１（カード後端押出部品１１３）をＡＤＦ５側にスライドさせる。
【００２５】
また、このようにしてカードＣを搬送するとき、図６に示すように閉じた手差しトレイ６１のカード挿入口７が、原稿搬送補助装置１００でカードＣを搬送する給送口となる。
また、図６、図７に示すように、ＡＤＦ５（カード挿入口７）に取り付けられた原稿搬送補助装置１００の積載ケース１０２は、搬送経路下流に従い高くなるように傾斜した略直線形状の搬送経路を有する。積載ケース１０２はこの搬送経路入口に、カードＣを連続的に搬送できる機能を有するため、図６、図７に示すように原稿搬送補助装置１００はＡＤＦ５の手差し原稿搬送経路６４と同様の傾斜を持つ直線形状の搬送経路を有している。
そして、原稿搬送補助装置１００の搬出口１１５の位置と（図８参照）、ＡＤＦ５の手差しトレイ６１を閉じた状態の搬送入口であるカード挿入口７の位置とが一致するように取り付けられる。
【００２６】
また、詳しくは後述するが、本実施例の原稿搬送補助装置１００には、図７に示すように、カード積載部１１２の載置面１０５に載置されたカードＣを搬出口１１５やカード挿入口７に向けて搬送する搬送力により開閉するゲート部品１２０に２つの面を設けている。
具体的には、圧縮バネ１４０で垂直（重力方向に略平行）な付勢方向に付勢され、付勢方向に変位することで開閉可能なゲート部品１２０に、次のような２つの面を設けている。
ゲート部品１２０が閉じているときに、カード積載部１１２の載置面１０５に当接する第一面１２１と、搬送時にカードＣが当接して開くときに、圧縮バネ１４０による付勢方向とは反対方向に変位する力を受ける第二面１２２である。
【００２７】
ここで、本実施例のゲート部品１２０に設けた第二面は、図７に示すように、カードＣの搬送方向上流側程高くなるように構成されており、圧縮バネ１４０による付勢方向に対して直交していない。
また、上述したように、ゲート部品１２０を付勢する付勢部材として、圧縮バネ１４０を用いることで、原稿搬送補助装置１００の低コスト化、及び省スペース化に寄与できる。
【００２８】
次に、原稿搬送補助装置１００の基本的な構成と、ＡＤＦ５（読取装置６）との位置関係について、図を用いて説明する。
図８は、原稿搬送補助装置１００の基本的な構成と、ＡＤＦ５との位置関係についての説明図である。そして、図８（ａ）が原稿搬送補助装置１００の基本的な構成の説明図、図８（ｂ）がＡＤＦ５における主走査方向と副走査方向の説明図、図８（ｃ）が原稿搬送補助装置１００における主走査方向と副走査方向の説明図である。
図９は、原稿搬送補助装置１００によるカードＣの搬送手順の説明図であり、図９（ａ）が、カード積載部１１２の載置面１０５を露出させた状態、図９（ｂ）がカードＣを積載した状態、図９（ｃ）が積載したカードＣを加圧した状態を示している。そして、図９（ｄ）がカード搬送用レバー１１１をスライドさせて（動かして）カードＣをガイド部１３０に設けた搬出口１１５から搬出している状態を示している。
【００２９】
原稿搬送補助装置１００は、図８（ａ）に示すようにカードＣを積載するカード積載部１１２を有する積載ケース１０２と、積載ケース１０２に対して開閉するように回動可能に支持された加圧機構１０１を備える。
また、カードＣを搬送方向に押出すカード後端押出部品１１３と、これを移動させるためにユーザが把持してスライドさせるカード搬送用レバー１１１と、閉じた加圧機構１０１のロックを解除する加圧機構解除ボタン１１４も備える。
また、積載ケース１０２の原稿搬送方向であるカード搬送方向の下流側には、カードＣが搬出される搬出口１１５が設けられるとともに、搬出口１１５を開閉するゲート部品１２０の開閉をガイド（案内）するガイド部１３０が形成されている。このガイド部１３０には、搬送されるカードＣが通る矩形の搬出口１１５が形成されており、カード積載部１１２の載置面１０５が搬出口１１５の下部と略同一面となるように構成されている。
そして、加圧機構１０１には、閉じられたときにカード積載部１１２の載置面１０５に積載されたカードＣを加圧する加圧板１１８を有している。
【００３０】
また、ＡＤＦ５（読取装置６）における主走査方向と副走査方向は、図８（ｂ）に示すように、閉じた手差しトレイ６１のカード挿入口７からカードＣを挿入する搬送方向が副走査方向であり、この副走査に直行する原稿幅方向が主走査方向である。いいかえると、カード挿入口７から挿入するカードＣの搬送方向が副走査方向、カードＣの幅方向が主走査方向に該当する。
一方、これらの方向を、ＡＤＦ５に取り付けられた原稿搬送補助装置１００にあてはめると、カード搬送用レバー１１１をスライドさせて移動してカードＣを押出すカード後端押出部品１１３の移動方向やカードＣの搬送方向が副走査方向に相当する。また、カード積載部１１２の載置面１０５に平行、且つカードＣの搬送方向に直行する方向が主走査方向に相当する。
【００３１】
原稿搬送補助装置１００によるカードＣの搬送手順は、まず、図９（ａ）に示すように加圧機構１０１を回動させて開いてカード積載部１１２の載置面１０５を露出させた後、図９（ｂ）に示すように露出したカード積載部１１２の載置面１０５にカードＣを積載する。カードＣを積載したら、図９（ｃ）に示すように加圧機構１０１を閉じてカードＣを加圧する。その後、図９（ｄ）に示すようにカード搬送用レバー１１１をスライドさせてカードＣをガイド部１３０に設けた搬出口１１５から搬出する。
【００３２】
次に、原稿搬送補助装置１００によるカードＣの分離機構について、図を用いて説明する。
図１０は、原稿搬送補助装置１００によるカードＣの分離機構の説明図であり、図１０（ａ）は加圧機構１０１が開いた状態の斜視説明図、図１０（ｂ）と図１０（ｃ）は１枚のカードＣを載置した場合の説明図である。そして、図１０（ｄ）と図１０（ｅ）は複数枚のカードＣを積載した場合の説明図である。図１１は、複数枚のカードＣを積載したときの２枚目のカードに発生する力の説明図である。
ここで、図１０（ｂ）〜図１０（ｅ）、及び図１１ではカードＣの搬送方向を略水平方向に記載しているが、実際にはカードＣの搬送方向下流側程高くなり、圧縮バネ１４０によるゲート部品１２０の付勢方向が略垂直となるように構成されている。
具体的には、図７に示すように本実施例の原稿搬送補助装置１００は、圧縮バネ１４０によるゲート部品１２０の付勢方向が重力方向と略平行になるように設けられており、圧縮バネ１４０によるゲート部品１２０の付勢方向が略垂直となる。
【００３３】
本実施例の原稿搬送補助装置１００では、様々なカード厚さに対応するため、図１０（ａ）〜図１０（ｅ）に示すようにカードＣの搬送力によりカードＣがゲート部品１２０を押し上げて開くようにした。また、ゲート部品１２０の上部には圧縮バネ１４０を設けており、カードＣがゲート部品１２０を押し上げてゲート部品１２０を開けると閉まり力が発生するように構成した。
具体的には、図１０（ｂ）、図１０（ｃ）に示すようにカード積載部１１２の載置面１０５に１枚だけカードＣを載置して図中矢印方向に搬送すると、カードＣの先端が、ゲート部品１２０の斜めの隅切り部である第二面１２２に当接する。この当接の分力により、ゲート部品１２０が押し上げられて図中斜め上方向に上昇してゲートが開く。
ここで、カードＣがゲート部品１２０に当接するまでは、ゲート部品１２０は、その自重と、圧縮バネ１４０の付勢力により、載置面１０５に平行な第一面１２１がカード積載部１１２の載置面１０５に当接して閉じている。
【００３４】
一方、図１０（ｄ）、図１０（ｅ）に示すようにカード積載部１１２の載置面１０５に複数枚のカードＣを載置して図中矢印方向に搬送すると、まず１枚目のカードＣの先端が、ゲート部品１２０の斜めの隅切り部である第二面１２２に当接し、ゲート部品１２０が上昇する。
但し、最下部の１枚目のカードＣを搬送するときに、そのすぐ上に重なっている２枚目のカードに１枚目のカードＣとの摩擦力が発生するため１枚目のカードＣと連動して２枚目のカードも一緒にゲート部品１２０を押し上げて搬送して、重送を起こす可能性がある。
この重送を防ぐため、本実施例では、図１１に示すように、ゲート部品１２０の閉まり力の設計値は”２枚目のカードの１枚目のカードＣとの摩擦力の分力である０．０８Ｎ”を超えるように、ゲート部品１２０の閉まる力を公差も含めて０．２Ｎとした。
【００３５】
上述した本実施例の原稿搬送補助装置１００は、図６、図７に示すように、カードＣを積載する原稿載置面としての載置面１０５を有した原稿トレイとして機能するカード積載部１１２を有している。また、上面に積載したカードＣをＡＤＦ５の原稿搬送経路５５の中途部近傍に設けられた給送口であるカード挿入口７に向けて搬送する搬送手段として機能するカード搬送用レバー１１１も有している。また、カード積載部１１２の載置面１０５に向けて略垂直な方向に圧縮バネ１４０で付勢され、付勢方向に変位することで開閉可能なゲート部品１２０も有している。
そして、ゲート部品１２０は、図７、図１０に示すように閉じたときに載置面１０５に当接する第一面１２１などの第一面と、原稿搬送時に原稿が当接して開いたときに前記付勢方向とは反対方向に力を受ける第二面１２２などの第二面とを有する。
【００３６】
このように構成することで、次のような効果を奏することができる。
従来の原稿搬送補助装置には、自動原稿搬送装置の搬送経路の中途部近傍に設けられた給送口に向けて原稿を搬送する構成に用い場合、これを備える自動原稿搬送装置等の装置が大型化したり、高コスト化したりするという問題があった。
具体的には、原稿を分離する回動リブや原稿テーブルの長さ（腕の長さ）を所定の長さだけ確保する必要があり、原稿に与える力の作用線から回動中心までの距離が長くなるため、これを備える自動原稿搬送装置等の水平方向のサイズが大型化するおそれが高い。
加えて、回動リブが原稿を押さえるときの接触部が点であるため、原稿を分離するために所定の搬送抵抗力を与えるためには、原稿テーブルを回動させる高トルクの駆動モータが必要となり、自動原稿搬送装置等の高コスト化も招いてしまう。
【００３７】
一方、本態様では、複数枚のカードＣを分離するゲート部品１２０材は、載置面１０５に向けて略垂直な方向に圧縮バネ１４０で付勢され、閉じたときに載置面１０５に当接する第一面１２１と、搬送時にカードＣが当接して開いたときに付勢方向とは反対方向に力を受ける第二面１２２とを有する部材である。
したがって、従来の原稿を分離する回動リブや原稿テーブルを設ける構成よりも、水平方向のサイズを小さくできるとともに、付勢部材として圧縮バネ１４０を用いることができ、従来の構成で高コスト化を招いていた高トルクの駆動モータを設ける必要もない。
よって、原稿搬送補助装置１００を備えるＡＤＦ５等の装置が大型化したり、高コスト化したりすることを抑制できる原稿搬送補助装置１００を提供できる。
【００３８】
ここで、カードＣを分離するために、単純にカードＣの厚さより若干大きい程度の孔を、ゲート部品１２０と同位置に設けてカードＣを分離する方法も考えられるが、この方法ではなく、ゲート部品１２０が開閉することによりカードＣを分離する構成とした理由について説明しておく。
上述したように、医療系業務で診察券や身分証明書などのプラスチックカードのスキャンのニーズが多かったため、厚さ０．８［ｍｍ］以下の様々なカードＣの厚さのスキャンにも対応することが望ましい。
しかし、診察券は大きな病院であればＪＩＳ規格である０．７６［ｍｍ］厚さで統一しているが、比較的小規模な病院では０．５［ｍｍ］程度であったり、病院によって使用する診察券の厚さが異なったりしていた。
【００３９】
上述したカードＣの厚さより若干大きい程度の孔を設ける方法では、例えば病院で多く使用されているＪＩＳ規格の厚さである０．７６［ｍｍ］の厚さのカードを分離するための孔は、加工公差を含めると一般的に０．８５［ｍｍ］〜０．９［ｍｍ］程度の高さの孔となる。
一方、０．７６［ｍｍ］の厚さのカードと同様に、病院で多く使用されているＪＩＳ規格の厚さである０．４８［ｍｍ］のカードをこの孔を利用して分離する場合、２枚分だと厚さ０．９６［ｍｍ］程度となってしまう。このため、孔の加工公差によっては０．４８［ｍｍ］のカードが２枚通紙されてしまったり（重送）、２枚のカードが孔を通過途中に詰まってしまったりして搬送できなくなる等、安定して原稿を搬送することが難しい。
【００４０】
また、加工精度を上げて０．８５［ｍｍ］程度の高さの孔とするにも追加コストが発生してしまう。つまり、カード厚さに合わせた孔を同位置に設ける方法では様々なカード厚さに対応することが難しく、カードの厚さが限定されてしまうというデメリットがある。
これに対して本実施例の構成であるゲート部品１２０を用いた分離方法では、カードＣの厚さの分だけゲート部品１２０が変位し開閉するため、ゲート部品１２０と付勢部材を設けるのみで様々な種類の厚さのカードを安定して搬送することができる。
【００４１】
上述したように構成することで、本実施例の原稿搬送補助装置１００は、次のような効果を奏することができる。
従来の原稿搬送補助装置には、上述したように、自動原稿搬送装置の搬送経路の中途部近傍に設けられた給送口に向けて原稿を搬送する構成に用い場合、これを備える自動原稿搬送装置等の装置が大型化したり、高コスト化したりするという問題があった。
具体的には、原稿を分離する回動リブや原稿テーブルの長さ（腕の長さ）を所定の長さだけ確保する必要があり、原稿に与える力の作用線から回動中心までの距離が長くなるため、これを備える自動原稿搬送装置等の水平方向のサイズが大型化するおそれが高い。
加えて、回動リブが原稿を押さえるときの接触部が点であるため、原稿を分離するために所定の搬送抵抗力を与えるためには、原稿テーブルを回動させる高トルクの駆動モータが必要となり、自動原稿搬送装置等の高コスト化も招いてしまう。
【００４２】
一方、上述した本実施例の原稿搬送補助装置１００は、上述したようにカードＣを分離するゲート部品１２０は、次のような２つの面を有した部材である。
カード積載部１１２の載置面１０５に向けて略垂直な方向に圧縮バネ１４０で付勢され、閉じたときに載置面１０５に当接する第一面１２１と、カード搬送時にカードＣが当接して開くときに付勢方向とは反対方向に変位する力を受ける第二面１２２とを有している。
したがって、従来の原稿を分離する回動リブや原稿テーブルを設ける構成よりも、水平方向のサイズを小さくできるとともに、付勢部材として圧縮バネ１４０を用いることができ、従来の構成で高コスト化を招いていた高トルクの駆動モータを設ける必要もない。
よって、原稿搬送補助装置１００を備えるＡＤＦ５、これを備える読取装置６、及びこれらを備える複写機１が大型化したり、高コスト化したりすることを抑制できる原稿搬送補助装置１００を提供できる。
【００４３】
また、本実施例の原稿搬送補助装置１００は、搬送するカードＣの厚さが０．４８[ｍｍ]以上０．７８[ｍｍ]以下に設定することが好ましい。
これによれば、０．４８[ｍｍ]以上０．７８[ｍｍ]以下の様々な厚さのカードＣも確実に搬送できる。
より具体的には、ＪＩＳＩＩ規格準拠厚さ０．４８[ｍｍ]、及び０．７８[ｍｍ]の厚さのカード等とともに、病院の診察券に多い０．５[ｍｍ]程度の厚さの原稿にも対応できる。
【００４４】
また、原稿搬送補助装置１００は、搬送するカードＣの縦と横の寸法が、それぞれ５３．９８［ｍｍ］と８５．６０［ｍｍ］であることが好ましい。
これによれば、次のような効果を奏することができる。
上述したカードＣの寸法は、ＡＤＦ５の原稿搬送経路５５の中途部近傍に設けられたカード挿入口７に向けて搬送することが多い、ＪＩＳＩＩ規格準拠のカード寸法である。
このため、病院の診察券、クレジットカード、キャッシュカード、運転免許証、マイナンバーカード等の多くを、好適に搬送できる。
【００４５】
また、原稿搬送補助装置１００は、搬送する原稿が「キャリアシート」、「プラスチックカード」、「はがき」、「封筒」、「帳票」、「クリアファイル」、及び「名刺」の少なくともいずれかであることが好ましい。
これによれば、一般的なシート原稿Ｓよりも厚さが厚い原稿であっても、ＡＤＦ５の原稿搬送経路５５の中途部近傍に設けられたカード挿入口７に向けて、好適に搬送できる。
【００４６】
また、原稿搬送補助装置１００は、ＡＤＦ５に対して着脱可能に構成されることが好ましい。
これによれば、原稿搬送補助装置１００を用いない場合にＡＤＦ５から取り外して、取り付けるＡＤＦ５、読取装置６、及び複写機１を小型化できる。
【００４７】
（実施例２）
まず、本実施形態のＡＤＦ５（読取装置６）の原稿搬送経路５５の中途部近傍に設けられたカード挿入口７に向けてカードＣを搬送する原稿搬送補助装置１００の実施例２について、図を用いて説明する。
本実施例の原稿搬送補助装置１００は、上述した実施例１と、ゲート部品１２０に設ける第二面１２２の付勢方向に対して直交していることに係る構成のみ異なる。
したがって、上述した実施例１で説明した構成と同様な構成、及びその作用や効果は、適宜、省略して説明する。また、特に区別する必要がない限り、同様な部材には同一の符号を付して説明する。
まず、本実施例の原稿搬送補助装置１００について説明する前に、上述した実施例１の構成を適用した原稿搬送補助装置の試作機での評価結果、及び評価結果から考察される新たな課題について説明する。
図１２は、実施例１の構成を適用した原稿搬送補助装置の試作機での評価結果、図１３は、ゲート部品１２０からの反力についての説明図である。
【００４８】
図１２の評価結果に示すように、原稿搬送補助装置の試作機を用いて自動原稿送り装置に搬送するときに、評価項目（５）の搬送抵抗力に関して、△の評価であった。
搬送抵抗力が目標値６［Ｎ］に対して７．２［Ｎ］、つまり搬送抵抗力が大きく、適切な搬送抵抗力を与えることができないという問題があり、操作性に改善の余地があった。また、評価の際の感想としては、カード搬送用レバー１１１が若干しぶいというものであった。
この搬送抵抗力の主要因の１つとしては、図１３（ｂ）に示すように搬送しようとした場合に、図１３（ａ）に示すようにカード搬送時にゲート部品１２０に当接したときのゲート部品１２０からの反力が挙げられる。
その理由として、評価では、カード搬送中にカード先端がゲートに当接するときに搬送抵抗力が最大値である７．２［Ｎ］となっていたためである。
【００４９】
そこで、カード搬送時にカードＣの先端が当接するゲート部品１２０の第二面１２２との角度に着目して検討を重ね、ゲート部品１２０の第二面１２２を、圧縮バネ１４０による付勢方向に直交させることで、搬送抵抗力を好適に低減できることを見出した。
次に、検討した内容を、図を用いて簡単に説明しておく。
図１４は、ゲート部品１２０の第二面１２２の角度を２つの角度に変化させた場合の搬送抵抗力の説明図である。そして、図１４（ａ）、図１４（ｂ）は原稿当接面が付勢力の作用方向と直交しない場合の一例の説明図、図１４（ｃ）、図１４（ｄ）は原稿当接面が付勢力の作用方向と直交する場合の説明図である。
【００５０】
上述した実施例１の構成のように、図１４（ａ）に示すようにゲート部品１２０の第二面１２２が圧縮バネ１４０による付勢方向に直交していな構成では、カード原稿の搬送抵抗は次のようになる。
ゲート部品の原稿当接面が付勢力の作用方向と直交しないため、図１４（ｂ）に示すようにゲート押し上げ力の反力の分力が発生し、この発生したゲート押し上げ力の反力の分力と摩擦力のとの合力がカード原稿の搬送抵抗となる。このため、搬送抵抗力が、後述する、ゲート部品１２０の第二面１２２が圧縮バネ１４０による付勢方向に直交している構成よりも大きくなる。
一方、図１４（ｃ）に示すようにゲート部品１２０の第二面１２２が圧縮バネ１４０による付勢方向に直交している構成では、図１４（ｄ）に示すようにゲート押し上げ力の反力の分力は発生せず、摩擦力のとの合力がカード原稿の搬送抵抗となり、小さくなる。
【００５１】
これらのため、図１４（ａ）に示す構成で、図１４（ｃ）に示す構成と同じだけのゲート押し上げ力を発生させるためには、図１４（ｃ）の場合よりも大きい搬送力が必要となる。したがって、搬送抵抗力も図１４（ｃ）の場合よりも大きくなる。
簡単に言うと、同じ大きさのゲート押し上げ力を発生させるのに、図１４（ｃ）、図１４（ｄ）の場合のほうが、図１４（ａ）、図１４（ｂ）の場合よりも搬送力の反力が少ない分、少ない搬送力で実現することができる。
したがって、図１４（ｃ）、図１４（ｄ）の場合のほうが搬送抵抗力は少ない。
【００５２】
次に、本実施例の原稿搬送補助装置１００の具体的な構成につて、図を用いて説明する。
図１５は、本実施例の原稿搬送補助装置１００の概略構成説明図、図１６は、原稿搬送補助装置１００によるカードＣの搬送方向の説明図である。図１７は、ゲート部品１２０の説明図であり、図１７（ａ）がゲート部品１２０の断面説明図、図１７（ｂ）がゲート部品１２０の断面説明図である。
本実施例の原稿搬送補助装置１００は、図１５に示すように、ゲート部品１２０の原稿搬送時に原稿が当接する原稿当接面である第二面１２２が、圧縮バネ１４０によるゲート部品１２０の付勢方向に直交する。つまり、圧縮バネ１４０によるゲート部品１２０の付勢方向とゲート部品１２０の第二面１２２とのなす角度が９０［°］となる。
ここで、圧縮バネ１４０によるゲート部品１２０の付勢方向は、重力方向と略平行になるように設けられているので、ゲート部品１２０の第二面１２２は略平行となる。
【００５３】
そして、カードＣが載置面１０５に沿って搬送されると、ゲート部品１２０に突き当たった後、ゲート部品１２０を押し上げるようにして開く。このときのゲート部品１２０の開閉方向であるゲート開閉方向も重力方向に略平行、すなわち略垂直な方向となる。
ゲート部品１２０を押し上げて（開いて）、ゲート部品１２０の下方を通過したカードＣは、ＡＤＦ５の第二原稿搬送機構２０４に引き渡されることになる。
ここで、ゲート部品１２０は、図１７（ａ）、図１７（ｂ）に示すように、搬送されてきたカードＣが、まず当接する搬送時原稿当接面である第二面１２２と、原稿時以外ではカード積載部１１２の載置面１０５に当接している面である第一面１２１とを有している。
【００５４】
次に、カードＣを搬送時するときのゲート部品１２０の動作につて、図を用いて説明する。
図１８は、カードＣを搬送時するときのゲート部品１２０の動作の説明図である。そして、図１８（ａ）は１枚目のカードＣ１（原稿）の搬送開始時の説明図、図１８（ｂ）はゲート部品１２０の第二面１２２に１枚目のカードＣ１が最初に当接した際の説明図である。また、図１８（ｃ）は１枚目のカードＣ１がゲート部品１２０を押し上げて開き終わって、ゲート部品１２０の下を搬送されている原稿搬送中の説明図、図１８（ｄ）は原稿搬送補助装置１００による１枚目のカードＣ１の搬送が終わった後の説明図である。
【００５５】
図１８（ａ）に示すように、複数のカードＣ（原稿）の搬送が開始されるとき、１枚目のカードＣ１を含める全てのカードＣは、重力の作用でカード搬送方向上流側に位置している。この状態のときにはゲート部品１２０の第一面１２１は載置面１０５に当接している閉状態にある。その後、図１８（ｂ）に示すように、１枚目のカードＣ１のカード搬送方向先端（以下、適宜、原稿先端という。）がゲート部品１２０の第二面１２２に当接する。このように当接した後、図１８（ｃ）に示すように、１枚目のカードＣ１を搬送する搬送力で、原稿先端がゲート部品１２０を押し上げて上方に変位した開状態し、ゲート部品１２０の第一面に摺動しながら通過する。
【００５６】
そして、図１８（ｄ）に示すように、原稿搬送補助装置１００からの１枚目のカードＣ１の搬送が完了すると、上方に変位していたゲート部品１２０は、圧縮バネ１４０の付勢力と自重により、第一面１２１が載置面１０５に当接する閉状態へと戻る。
上述したような動作を繰り返すことで、原稿搬送補助装置１００に収容した複数のカードＣを積載ケース１０２内から連続して搬送（搬出）することができる。
【００５７】
本実施例の原稿搬送補助装置１００は、上述したように構成することで、ゲート部品１２０の第二面１２２を付勢方向に直交させない実施例１の構成よりも、搬送するときの反力（搬送反力）を少なくできる分、少ない搬送力でカードＣを搬送することができる。
【００５８】
（実施例３）
まず、本実施形態のＡＤＦ５（読取装置６）の原稿搬送経路５５の中途部近傍に設けられたカード挿入口７に向けてカードＣを搬送する原稿搬送補助装置１００の実施例３について、図を用いて説明する。
本実施例の原稿搬送補助装置１００は、上述した実施例１、２と、ゲート部品１２０に作用する付勢力の作用線とゲート部品１２０の自重の作用線に係る構成のみ異なる。
したがって、上述した実施例１、２で説明した構成と同様な構成、及びその作用や効果は、適宜、省略して説明する。また、特に区別する必要がない限り、同様な部材には同一の符号を付して説明する。また、以下の説明では、実施例２の構成に本実施例の特徴的な構成を適用した場合の構成について説明する。
【００５９】
図１９は、本実施例のゲート部品１２０に作用する付勢力の作用線とゲート部品１２０の自重の作用線、及び２つの作用線が存在する領域の説明図である。そして、図１９（ａ）は、１枚目のカードＣ１が最初に第二面１２２に当接した際、つまりゲート部品１２０が閉した状態での２つの作用線、及び２つの作用線が存在する領域の説明図である。また、図１９（ｂ）は、１枚目のカードＣ１が第二面１２２（ゲート部品１２０）を押し上げているときの２つの作用線、及び２つの作用線が存在する領域の説明図である。
【００６０】
本実施例の原稿搬送補助装置１００では、圧縮バネ１４０による作用線と、ゲート部品１２０の自重のよる作用線とが、図１９（ａ）に示す関係になるように圧縮バネ１４０でゲート部品１２０を付勢する位置と、ゲート部品１２０の形状等を構成している。
具体的には、図１９（ａ）に示すように、本実施形態の構成では、主走査方向の断面で圧縮バネ１４０による付勢力の作用線とゲート部品１２０の重心位置の作用線が略一致するように構成している。
また、略一致する２つの作用線は、搬送されるカードＣ１の先端がゲート部品１２０の第二面１２２に当接し始める当接位置から、ゲート部品１２０が閉じているときにカード積載部１１２の載置面１０５に当接している第二面１２２の端部位置までの領域に存在する。つまり、略一致する２つの作用線は、搬送されるカードＣ１の先端がゲート部品１２０の第二面１２２に当接したままの状態でゲート部品１２０を押し上げながら移動する範囲内、つまり図１９（ａ）図中、Ｒで示す領域内に位置するように構成している。
【００６１】
本実施例の原稿搬送補助装置１００は、上述したように構成することで、より効果的にゲート押し上げ力によってゲート部品１２０を支持する（持ち上げる）ことができるので、より少ない搬送力でゲート部品１２０を支持できる。したがって、より少ない搬送力でカードＣ１を搬送できる。
【００６２】
逆に、図１９（ａ）に示すように、圧縮バネ１４０による作用線と、ゲート部品１２０の自重による作用線のいずれかが図１９（ｂ）図中、Ｒで示す領域外に位置していると、ゲート押し上げ力と、圧縮バネ１４０による付勢力及びゲート重心位置が異なってしまう。
このように異なってしまうと、図１９（ａ）に示した場合よりも大きな回転モーメントが発生し、ゲート部品１２０をガイドするガイド部１３０にゲート部品１２０が当接したときの摩擦力が搬送抵抗力となり、最終的に搬送抵抗力が増大するおそれがある。
【００６３】
（実施例４）
次に、本実施形態のＡＤＦ５（読取装置６）の原稿搬送経路５５の中途部近傍に設けられたカード挿入口７に向けてカードＣを搬送する原稿搬送補助装置１００の実施例４について、複数の構成例を挙げ、実施例１の説明で用いた図１７と、図１９を用いて説明する。
本実施例の原稿搬送補助装置１００は、上述した実施例１〜３と、ゲート部品１２０の第一面１２１と第二面の構成、及び互いに摺動するゲート部品１２０のゲート摺動部１２５と、ガイド部１３０のガイド摺動部１３５に係る構成のみ異なる。
したがって、上述した実施例１〜３で説明した構成と同様な構成、及びその作用や効果は、適宜、省略して説明する。また、特に区別する必要がない限り、同様な部材には同一の符号を付して説明する。また、以下の説明では、実施例２の構成に本実施例の特徴的な構成を適用した場合の構成について説明する。
【００６４】
図２０は、ゲート部品１２０が変位するときに互いに摺動するゲート部品１２０のゲート摺動部１２５と、ガイド部１３０のガイド摺動部１３５の説明図である。
まず、本実施例の原稿搬送補助装置１００に好適に用いることができるゲート部品１２０の構成例について、図１７を用いて説明する。
（構成例１）
図１７（ａ）、図１７（ｂ）に示す、カードＣを搬送するときに、カードＣが当接するゲート部品１２０の第二面１２２の少なくとも一部をゴム材料で構成する。
このように構成することで、次のような効果を奏することができる。
ゲート部品１２０の第二面１２２に当接することで、カードＣが傷ついてしまうことを防げる。また、ゲート部品１２０の第二面１２２とカードＣの間に生じる摩擦力を大きくできるため、複数のカードＣから１枚目のカードＣ１を分離する効果を高めることもできる。
【００６５】
（構成例２）
図１７（ａ）、図１７（ｂ）に示す、カード積載部１１２の載置面１０５と当接するゲート部品１２０の第一面１２１の少なくとも一部をゴム材料で構成する。
このように構成することで、カード積載部１１２の載置面１０５にゲート部品１２０が当接するときに、カード積載部１１２の載置面１０５及びゲート部品１２０が傷ついてしまうことを防ぐことができる。
【００６６】
（構成例３）
図１７（ａ）、図１７（ｂ）に示す、搬送時にカードＣが当接するゲート部品１２０の第二面１２２の少なくとも一部をＰＯＭ材料で構成する。
このように構成することで、ゲート部品１２０の第二面１２２に対するカードＣの摺動性を高めることができる（良好にできる）。
【００６７】
（構成例４）
図１７（ａ）、図１７（ｂ）に示す、搬送時にカードＣが当接するゲート部品１２０の第二面１２２の少なくとも一部をＰＯＭ材料で構成する。
このように構成することで、ゲート部品１２０第一面１２１に対するカードＣの摺動性を高めることができる。
【００６８】
（構成例５）
次に、本実施例の原稿搬送補助装置１００に好適に用いることができる、ゲート部品１２０が変位するときに互いに摺動するゲート部品１２０のゲート摺動部１２５と、ガイド部１３０のガイド摺動部１３５に係る構成例５について、図２０を用いて説明する。
本構成例では、ゲート部品１２０が変位するときに互いに摺動するゲート部品１２０のゲート摺動部１２５と、ガイド部１３０のガイド摺動部１３５を、次のように構成した。
図２０に示す、ゲート部品１２０のゲート摺動部１２５、及びガイド部１３０のガイド摺動部１３５の少なくとも一部はＰＯＭ材料で構成する。
このように構成することで、ガイド部１３０のガイド摺動部１３５に対するゲート部品１２０のゲート摺動部１２５の摺動性を高めることができる。
【００６９】
（実施例５）
次に、本実施形態のＡＤＦ５（読取装置６）の原稿搬送経路５５の中途部近傍に設けられたカード挿入口７に向けてカードＣを搬送する原稿搬送補助装置１００の実施例５について、図を用いて説明する。
本実施例の原稿搬送補助装置１００は、上述した実施例１〜４と、付勢方向における、ゲート部品１２０を付勢方向にガイドするガイド部１３０とゲート部品１２０との間に、搬送する仕様カードＣの最大厚さ分の隙間を設けた点のみ異なる。
したがって、上述した実施例１〜４で説明した構成と同様な構成、及びその作用や効果は、適宜、省略して説明する。また、特に区別する必要がない限り、同様な部材には同一の符号を付して説明する。また、以下の説明では、実施例２の構成に本実施例の特徴的な構成を適用した場合の構成について説明する。
【００７０】
図２１は、本実施例に係る、ゲート部品１２０の付勢方向における変位量の説明図である。そして、図２１（ａ）はゲート部品１２０の第二面１２２に１枚目のカードＣ１が最初に当接した際、つまりゲート部品１２０が閉状態の説明図である。また、図１８（ｃ）は１枚目のカードＣ１がゲート部品１２０を押し上げて開き終わって、ゲート部品１２０の下を搬送されている原稿搬送中、つまりゲート部品１２０が開状態の説明図である。
【００７１】
実施例１〜実施例４のゲート部品１２０を用いた分離方法では、カードＣの厚さの分だけゲート部品１２０が変位し開閉するため、ゲート部品１２０と付勢部材を設けるのみで様々な種類の厚さのカードを安定して搬送することができる。
しかし、原稿搬送補助装置１００で搬送する仕様原稿の最大厚さよりも厚い誤ったカードがカード積載部１１２の載置面１０５に載置されると、誤ったカードをＡＤＦ５に向けて搬送してしまい、ＡＤＦ５の手差し原稿搬送経路６４で詰まってしまうおそれがある。
【００７２】
そこで、本実施例の原稿搬送補助装置１００では、付勢方向における、ゲート部品１２０を付勢方向にガイドするガイド部１３０とゲート部品１２０との間に、本来、原稿搬送補助装置１００で搬送すべき仕様原稿（カード）の最大厚さ分の隙間を設けている。
具体的には、図２１（ａ）に示すゲート部品１２０が閉状態のときの付勢方向のゲート部品１２０端部とガイド部１３０との隙間１３７を、搬送すべき仕様原稿の最大厚さとし、図２１（ｂ）に示す閉状態のときに当接して隙間１３７’が無くなるように構成した。
このように構成することで、ゲート部品１２０の最大の変位量を最も厚い原稿（カード）の厚さ分となるよう、ゲート部品１２０に当接する部分を設けるとことで、規格外の厚さの原稿が搬送されてしまうことを未然に防ぐことができる。
【００７３】
（実施例６）
次に、本実施形態のＡＤＦ５（読取装置６）の原稿搬送経路５５の中途部近傍に設けられたカード挿入口７に向けてカードＣを搬送する原稿搬送補助装置１００の実施例６について、図を用いて説明する。
本実施例の原稿搬送補助装置１００は、上述した実施例１〜５と、ゲート部品１２０のカードＣの搬送方向に直交するカードＣの幅方向における、圧縮バネ１４０の配置と、搬送するカードＣの幅方向の中央位置に係る点のみ異なる。つまり、本実施例の原稿搬送補助装置１００は、上述した実施例１〜５と、ゲート部品１２０の主走査方向における、圧縮バネ１４０の配置と、搬送するカードＣの幅方向の中央位置に係る点のみ異なる。
したがって、上述した実施例１〜５で説明した構成と同様な構成、及びその作用や効果は、適宜、省略して説明する。また、特に区別する必要がない限り、同様な部材には同一の符号を付して説明する。また、以下の説明では、実施例２の構成に本実施例の特徴的な構成を適用した場合の構成について説明する。
【００７４】
図２２は、本実施例に係る、ゲート部品１２０の主走査方向における、圧縮バネ１４０の配置と、搬送するカードＣの幅方向の中央位置についての説明図である。そして、図２２（ａ）は圧縮バネ１４０の配置と、搬送するカードＣの幅方向の中央位置の説明に用いる図２２（ｂ）及び図２２（ｃ）の断面位置の説明図である。また、図２２（ｂ）は２つの第一圧縮バネ１４０ａ及び第二圧縮バネ１４０ｂを設けた構成の説明図、図２２（ｃ）は１つの圧縮バネ１４０を設けた構成の説明図である。
そして、本実施例では、圧縮バネ１４０の配置と、搬送するカードＣの幅方向の中央位置を説明するに当たり、原稿搬送補助装置１００の主走査方向に直交する断面図である図２２（ａ）に示すｄ１―ｄ１断面における図２２（ｂ）及び図２２（ｂ）の２つを用いる。
【００７５】
本実施例の原稿搬送補助装置１００では、主走査方向において、図２２（ｂ）に示すように、搬送するカードＣ１の主走査方向の中央位置が、ゲート部品１２０の主走査方向の中央位置となるように構成している。そして、ゲート部品１２０は、主走査方向に沿って配置された第一圧縮バネ１４０ａと第二圧縮バネ１４０ｂにより付勢されており、これら第一圧縮バネ１４０ａ、第二圧縮バネ１４０ｂが、ゲート部品１２０のカードＣ１幅方向（主走査方向）の両端部近傍に１つずつ設置されている。加えて、カードＣ１の幅方向における搬送されるカードＣ１の中央位置が、カードＣ１幅方向における２つの第一圧縮バネ１４０ａ、第二圧縮バネ１４０ｂによる付勢力の合力の作用線の位置と略一致するように構成している。
【００７６】
このように構成することで、次のような効果を奏することができる。
原稿搬送補助装置１００を用いて搬送するカードＣ１は幅方向にある程度長さをもっている（約５４［ｍｍ］）。このため、図２２（ｂ）に示すようにゲート部品１２０の中央部に１個の圧縮バネ１４０で付勢するよりも、少なくとも両端部に１個ずつ、計２個設置されていたほうが、ゲート部品１２０の端部のひっかかりやゲート部品１２０の回転に対して安定してカードＣ１を搬送できる。
【００７７】
（実施例７）
次に、本実施形態のＡＤＦ５（読取装置６）の原稿搬送経路５５の中途部近傍に設けられたカード挿入口７に向けてカードＣを搬送する原稿搬送補助装置１００の実施例７について、複数の構成例を挙げ、図を用いて説明する。
本実施例の原稿搬送補助装置１００は、仕様原稿の最大厚さ分の付勢方向の隙間を、ゲート部品１２０とガイド部１３０の間に設ける構成での（例えば、実施例５）、圧縮バネ１４０の設け方についての構成例を規定していることに係る点のみ異なる。
したがって、上述した実施例１〜６で説明した構成と同様な構成、及びその作用や効果は、適宜、省略して説明する。また、特に区別する必要がない限り、同様な部材には同一の符号を付して説明する。また、以下の説明では、実施例２の構成に本実施例の特徴的な構成を適用した場合の構成について説明する。
【００７８】
以下の説明では、圧縮バネ１４０が当接する（接続される）ゲート部品１２０側にのみ、第一凹部１２８等や凸部１２６を有する（形成する）構成について説明するが、本実施例の要旨はこのような構成に限定されるものではない。例えば、圧縮バネ１４０が当接するガイド部１３０側にのみ、第一凹部１２８等や凸部１２６を有する構成や、圧縮バネ１４０が当接するゲート部品１２０側とガイド部１３０側の両方に、第一凹部１２８等や凸部１２６を有する構成にも適用可能である。
図２３は、本実施例に係る、ゲート部品１２０のみに、第一凹部１２８等を設けた場合の２つの構成例の説明図であり、図２３（ａ）はゲート部品１２０のみに圧縮バネ１４０の外径と略一致する第一凹部１２８を有する場合の構成例６の説明図である。そして、図２３（ｂ）はゲート部品１２０のみに圧縮バネ１４０の外径よりも広い内径を有した第二凹部１２９と、この第二凹部１２９の底部から突出する圧縮バネ１４０の内径と略一致する凸部１２６とを有する構成例７の説明図である。
【００７９】
上述した実施例５の構成では、最大圧縮時の圧縮バネ１４０の高さの分が考慮されていないため、必然的に圧縮バネ１４０を収納するための凹部をゲート部品１２０とガイド部１３０の少なくとも設ける必要がある。
そこで、構成例６及び構成例７では、圧縮バネ１４０を位置決めする、圧縮バネ１４０の内径と略一致する凸部１２６、及び圧縮バネ１４０の外形と略一致する第一凹部１２８の内の少なくともいずれかを、ゲート部品１２０の当接部１２４に有するように構成した。
（構成例６）
本構成例では、図２３（ａ）に示すように、ゲート部品１２０のみに圧縮バネ１４０の外径と略一致する、圧縮バネ１４０の圧縮時高さ（長さ）よりも深い（長い）第一凹部１２８を有するように構成した。
（構成例７）
本構成例では、図２３（ｂ）に示すように、上記当接時、ゲート部品１２０のみに圧縮バネ１４０の外径よりも広い内径を有した第二凹部１２９と、この第二凹部１２９の底部から突出する圧縮バネ１４０の内径と略一致する凸部１２６とを有するように構成した。
【００８０】
上記構成例６や構成例７のように構成することで、次のような効果を奏することができる。
外径が圧縮バネ１４０の外形と略一致する第一凹部１２８、又は第二凹部１２９の内部に圧縮バネ１４０の内径と略一致する凸部を設けることで、凹部が付勢部材を位置決めすると同時に、付勢部材のガイドの役割も果たし、且つ加工コストも低減することもできる。
【００８１】
また、本実施形態のＡＤＦ５は、原稿搬送経路５５の中途部近傍に設けられたカード挿入口７に向けてカードＣを搬送する原稿搬送補助手段を備え、原稿搬送補助手段として、上述したいずれかの原稿搬送補助装置１００を備えることがこのましい。
これによれば、上述したいずれかの原稿搬送補助装置１００と同様な効果を奏することができるＡＤＦ５を提供できる。
【００８２】
また、本実施形態の読取装置６は、原稿搬送経路５５の中途部近傍に設けられたカード挿入口７に向けてカードＣを搬送する原稿搬送補助手段を設けるＡＤＦ５を備え、原稿搬送補助手段として、上述したいずれかの原稿搬送補助装置１００を設けるＡＤＦ５を備える。
これによれば、上述したいずれかの原稿搬送補助装置１００を設けるＡＤＦ５と同様な効果を奏することができる読取装置６を提供できる。
【００８３】
また、本実施形態の複写機１は、原稿搬送経路５５の中途部近傍に設けられたカード挿入口７に向けてカードＣを搬送する原稿搬送補助手段を設けるＡＤＦ５を備え、原稿搬送補助手段として、上述したいずれかの原稿搬送補助装置１００を設けるＡＤＦ５を備える。
これによれば、上述したいずれかの原稿搬送補助装置１００を設けるＡＤＦ５と同様な効果を奏することができる複写機１を提供できる。
【００８４】
以上、本実施形態について、図面を参照しながら説明してきたが、具体的な構成は、上述した本実施形態の原稿搬送補助装置１００を備えた構成に限られるものではなく、要旨を逸脱しない範囲の設計の変更等を行っても良い。
本実施形態では、電子写真方式の複写機１の読取装置６有するＡＤＦ５（手差しトレイ６１）に取り付けた原稿搬送補助装置１００に適用した例について説明したが、このような構成に限定されるものではない。例えば、インクジェット方式（ジェルジェット方式）の複写機にも、適用可能である。
また、読取装置６有するＡＤＦ５の原稿搬送を補助する原稿搬送補助装置１００に適用した例について説明したが、このような構成に限定されるものではない。例えば、カード等を含むシートを搬送するシート搬送装置のシート搬送を補助する構成にも、適用可能である。
【００８５】
以上に説明したものは一例であり、次の態様毎に特有の効果を奏する。
（態様１）
ＡＤＦ５などの自動原稿搬送装置のカード挿入口７などの給送口に向けて搬送されるカードＣなどの原稿枚数を、複数の原稿がカード積載部１１２などの原稿積載部に積載されているときに１枚に規制して、前記自動原稿搬送装置による原稿搬送を補助する原稿搬送補助装置１００などの原稿搬送補助装置において、当該原稿搬送補助装置は、前記原稿積載部の載置面１０５などの原稿載置面に積載した原稿を前記自動原稿搬送装置の原稿搬送経路５５などの搬送経路の中途部近傍に設けられたカード挿入口７などの給送口に向けて搬送するカード搬送用レバー１１１などの搬送手段と、前記原稿載置面に向けた方向に圧縮バネ１４０などの付勢部材で付勢され、付勢方向に変位することで搬出口１１５などの搬出口を開閉可能なゲート部品１２０などの開閉部材とを備え、前記開閉部材は、閉じたときに前記原稿載置面に当接する第一面１２１などの第一面と、原稿搬送時に原稿が当接して開くときに前記付勢方向とは反対方向に変位する力を受ける第二面１２２などの第二面とを有することを特徴とする。
【００８６】
これによれば、次のような効果を奏することができる。
従来の原稿搬送補助装置には、自動原稿搬送装置の搬送経路の中途部近傍に設けられた給送口に向けて原稿を搬送する構成に用い場合、これを備える自動原稿搬送装置等の装置が大型化したり、高コスト化したりするという問題があった。
具体的には、原稿を分離する回動リブや原稿テーブルの長さ（腕の長さ）を所定の長さだけ確保する必要があり、原稿に与える力の作用線から回動中心までの距離が長くなるため、これを備える自動原稿搬送装置等の水平方向のサイズが大型化するおそれが高い。
加えて、回動リブが原稿を押さえるときの接触部が点であるため、原稿を分離するために所定の搬送抵抗力を与えるためには、原稿テーブルを回動させる高トルクの駆動モータが必要となり、自動原稿搬送装置等の高コスト化も招いてしまう。
【００８７】
一方、本態様では、原稿を分離する開閉部材は、原稿載置面に向けた方向に付勢部材で付勢され、閉じたときに原稿載置面に当接する第一面と、原稿搬送時に原稿が当接して開くときに付勢方向とは反対方向に変位する力を受ける第二面とを有する部材である。
したがって、従来の原稿を分離する回動リブや原稿テーブルを設ける構成よりも、水平方向のサイズを小さくできるとともに、付勢部材としてバネ等を用いることができ、従来の構成で高コスト化を招いていた高トルクの駆動モータを設ける必要もない。
よって、原稿搬送補助装置を備える自動原稿搬送装置等の装置が大型化したり、高コスト化したりすることを抑制できる原稿搬送補助装置を提供できる。
【００８８】
（態様２）
（態様１）の原稿搬送補助装置において、前記付勢部材による付勢方向は、略垂直な方向であることを特徴とする。
これによれば、付勢力と自重を導方向にでき、効率良く開閉部材を開閉できる。
【００８９】
（態様３）
（態様１）又は（態様２）の原稿搬送補助装置において、前記開閉部材の前記第二面は、前記付勢方向に直交していることを特徴とする。
これによれば、開閉部材の第二面を付勢方向に直交させない構成よりも、搬送するときの反力（搬送反力）を少なくできる分、少ない搬送力で原稿を搬送することができる。
【００９０】
（態様４）
（態様２）又は（態様３）の原稿搬送補助装置において、主走査方向に直行する断面などの原稿を搬送するときの搬送方向に平行で垂直な面での前記開閉部材を付勢する付勢力の作用線と、前記開閉部材の自重による力の作用線とは略一致するとともに、前記略一致する２つの作用線は、搬送される原稿が前記開閉部材の前記第二面に当接し始める当接位置から、前記開閉部材が閉じているときに前記原稿載置面に当接している前記第二面の端部位置までの領域に存在することを特徴とする。
これによれば、より少ない搬送力で原稿を搬送することができる。
【００９１】
（態様５）
（態様１）乃至（態様４）のいずれかの原稿搬送補助装置において、搬送時に原稿が当接する前記開閉部材の前記第二面の少なくとも一部はゴム材料で構成されていることを特徴とする。
これによれば、開閉部材の第二面に当接することで原稿が傷ついてしまうことを防げるとともに、開閉部材の第二面と原稿の間に生じる摩擦力を大きくできるため原稿を分離する効果を高めることができる。
【００９２】
（態様６）
（態様１）乃至（態様４）のいずれかの原稿搬送補助装置において、前記原稿載置面と当接する前記開閉部材の前記第一面の少なくとも一部はゴム材料で構成されていることを特徴とする。
これによれば、原稿載置面に開閉部材が当接するときに、原稿載置面及び開閉部材が傷ついてしまうことを防ぐことができる。
【００９３】
（態様７）
（態様１）乃至（態様４）のいずれかの原稿搬送補助装置において、搬送時に原稿が当接する前記開閉部材の前記第二面の少なくとも一部はＰＯＭ材料で構成されていることを特徴とする。
これによれば、開閉部材の第二面に対する原稿の摺動性を高めることができる。
【００９４】
（態様８）
（態様１）乃至（態様４）のいずれかの原稿搬送補助装置において、前記原稿載置面と当接する前記開閉部材の前記第一面の少なくとも一部はＰＯＭ材料で構成されていることを特徴とする。
これによれば、開閉部材の第一面に対する原稿の摺動性を高めることができる。
【００９５】
（態様９）
（態様１）乃至（態様８）のいずれかの原稿搬送補助装置において、前記開閉部材のゲート摺動部１２５などの摺動部、及び前記開閉部材を前記付勢方向にガイドするガイド部１３０などのガイド部材のガイド摺動部１３５などのガイド部の少なくとも一部はＰＯＭ材料で構成されていることを特徴とする
これによれば、ガイド部材に対する開閉部材の摺動性を高めることができる。
【００９６】
（態様１０）
（態様１）乃至（態様９）のいずれかの原稿搬送補助装置において、前記付勢方向における、前記開閉部材を前記付勢方向にガイドするガイド部１３０などのガイド部材と前記開閉部材との間に、当該原稿搬送補助装置で搬送する仕様原稿の最大厚さ分の隙間を設けたことを特徴とする。
これによれば、開閉部材の最大の変位量を最も厚い原稿の厚さ分となるよう、開閉部材に当接する部分を設けるとことで、規格外の厚さの原稿が搬送されてしまうことを未然に防ぐことができる。
【００９７】
（態様１１）
（態様１）乃至（態様１０）のいずれかの原稿搬送補助装置において、前記付勢部材は圧縮バネ１４０などの圧縮バネであることを特徴とする。
これによれば、原稿搬送補助装置の低コスト化、及び省スペース化に寄与できる。
【００９８】
（態様１２）
（態様１）乃至（態様１１）のいずれかの原稿搬送補助装置において、前記開閉部材は、主走査方向などの原稿搬送方向に直交する原稿幅方向に沿って配置された第一圧縮バネ１４０ａや第二圧縮バネ１４０ｂなどの複数の付勢部材により付勢されており、前記複数の付勢部材の内の、２つの付勢部材が、前記開閉部材の前記原稿幅方向の両端部近傍に１つずつ設置され、前記原稿幅方向における搬送される原稿の中央位置が、前記原稿幅方向における前記複数の付勢部材による付勢力の合力の作用線の位置と略一致することを特徴とする。
【００９９】
これによれば、次のような効果を奏することができる。
原稿搬送補助装置を用いて搬送するカードＣなどの原稿は原稿幅方向にある程度長さをもっている（約５４［ｍｍ］）。このため、開閉部材の中央部に１個の付勢部材で付勢するよりも、少なくとも両端部に１個ずつ、計２個設置されていたほうが、開閉部材の端部のひっかかりや開閉部材の回転に対して安定して原稿を搬送できる。
【０１００】
（態様１３）
（態様１）乃至（態様１２）のいずれかの原稿搬送補助装置において、前記付勢部材を位置決めするための前記付勢部材の内径と略一致する凸部１２６などの凸部と、及び前記付勢部材の外形と略一致する第一凹部１２８などの凹部の内の少なくともいずれかを、前記開閉部材の前記付勢部材が当接する当接部１２４などの当接部、又は前記開閉部材をガイドするガイド部材の前記開閉部材が前記付勢方向で当接する当接面１３４などの当接面のいずれかに有することを特徴とする。
【０１０１】
これによれば、次のような効果を奏することができる。
例えば、（態様１０）の構成では、最大圧縮時の付勢部材の高さの分が考慮されていないため、必然的に付勢部材を収納するための凹部を設ける必要がある。
そこで、本態様では、凹部の外径が付勢部材の外形と略一致する形状、もしくは凹部の内部に付勢部材の内径と略一致する凸部を設けることで、凹部が付勢部材を位置決めすると同時に、付勢部材のガイドの役割も果たし、且つ加工コストも低減することもできる。
【０１０２】
（態様１４）
（態様１）乃至（態様１３）のいずれかの原稿搬送補助装置において、搬送する原稿の厚さが０．４８[ｍｍ]以上０．７８[ｍｍ]以下であることを特徴とする。
これによれば、０．４８[ｍｍ]以上０．７８[ｍｍ]以下の様々な厚さの原稿も確実に搬送できる。より具体的には、ＪＩＳＩＩ規格準拠厚さ０．４８[ｍｍ]、及び０．７８[ｍｍ]の厚さのカード等とともに、病院の診察券に多い０．５[ｍｍ]程度の厚さの原稿にも対応できる。
【０１０３】
（態様１５）
（態様１）乃至（態様１４）のいずれかの原稿搬送補助装置において、搬送する原稿の縦と横の寸法が、それぞれ５３．９８［ｍｍ］と８５．６０［ｍｍ］であることを特徴とする。
これによれば、次のような効果を奏することができる。
自動原稿搬送装置の搬送経路の中途部近傍に設けられた給送口に向けて搬送することが多い、ＪＩＳＩＩ規格準拠のカード寸法であり、病院の診察券、クレジットカード、キャッシュカード、運転免許証、マイナンバーカード等の多くを、好適に搬送できる。
【０１０４】
（態様１６）
（態様１）乃至（態様１５）のいずれかの原稿搬送補助装置において、搬送する原稿が「キャリアシート」、「プラスチックカード」、「はがき」、「封筒」、「帳票」、「クリアファイル」、及び「名刺」の少なくともいずれかであることを特徴とする。
これによれば、一般的なシート原稿Ｓなどの原稿よりも厚さが厚いカードＣなどの原稿であっても、自動原稿搬送装置の搬送経路の中途部近傍に設けられた給送口に向けて、好適に搬送できる。
【０１０５】
（態様１７）
（態様１）乃至（態様１６）のいずれかの原稿搬送補助装置において、前記自動原稿搬送装置に対して着脱可能に構成されていることを特徴とする。
これによれば、原稿搬送補助装置を用いない場合に原稿搬送補助装置から取り外して、取り付ける自動原稿搬送装置等の装置を小型化できる。
【０１０６】
（態様１８）
原稿搬送経路５５などの搬送経路の中途部近傍に設けられたカード挿入口７などの給送口に向けてカードＣなどの原稿を搬送する原稿搬送補助手段を備えるＡＤＦ５などの自動原稿搬送装置において、前記原稿搬送補助手段として、（態様１）乃至（態様１７）のいずれかの原稿搬送補助装置１００などの原稿搬送補助装置を備えることを特徴とする。
これによれば、（態様１）乃至（態様１７）のいずれかの原稿搬送補助装置と同様な効果を奏することができる自動原稿搬送装置を提供できる。
【０１０７】
（態様１９）
原稿搬送経路５５などの搬送経路の中途部近傍に設けられたカード挿入口７などの給送口に向けてカードＣなどの原稿を搬送する原稿搬送補助手段を設けるＡＤＦ５などの自動原稿搬送装置を備えた読取装置６などの原稿読取装置において、前記原稿搬送補助手段として、（態様１）乃至（態様１７）のいずれかの原稿搬送補助装置１００などの原稿搬送補助装置を設ける自動原稿搬送装置を備えることを特徴とする。
これによれば、（態様１）乃至（態様１７）のいずれかの原稿搬送補助装置を設ける自動原稿搬送装置と同様な効果を奏することができる原稿読取装置を提供できる。
【０１０８】
（態様２０）
原稿搬送経路５５などの搬送経路の中途部近傍に設けられたカード挿入口７などの給送口に向けてカードＣなどの原稿を搬送する原稿搬送補助手段を設けるＡＤＦ５などの自動原稿搬送装置を備える複写機１などの画像形成装置において、前記原稿搬送補助手段として、（態様１）乃至（態様１７）のいずれかの原稿搬送補助装置１００などの原稿搬送補助装置を設ける自動原稿搬送装置を備えることを特徴とする。
これによれば、（態様１）乃至（態様１７）のいずれかの原稿搬送補助装置を設ける自動原稿搬送装置と同様な効果を奏することができる画像形成装置を提供できる。
【符号の説明】
【０１０９】
１    複写機
４    画像読取部
５    ＡＤＦ
６    読取装置
７    カード挿入口
５５    原稿搬送経路
５６    排紙トレイ
６１    手差しトレイ
６２    手差し給送口
６４    手差し原稿搬送経路
１００    原稿搬送補助装置
１０１    加圧機構
１０２    積載ケース
１１１    カード搬送用レバー
１１２    カード積載部
１１３    カード後端押出部品
１１５    搬出口
１１８    加圧板
１２０    ゲート部品
１２１    第一面
１２２    第二面
１２４    当接部
１２５    ゲート摺動部
１２６    凸部
１２８    第一凹部
１２９    第二凹部
１３０    ガイド部
１３４    当接面
１３５    ガイド摺動部
１３７    隙間
１４０    圧縮バネ
１４０ａ  第一圧縮バネ（両端設けた一方）
１４０ｂ  第二圧縮バネ（両端設けた一方）
２０４    第二原稿搬送機構
Ｃ    カード
Ｃ１  カード（１枚目のシート）
Ｓ    シート原稿
【先行技術文献】
【特許文献】
【０１１０】
【特許文献１】特許４９０７４６０号公報
【図１】
2019163128.tif 000003
【図２】
2019163128.tif 000004
【図３】
2019163128.tif 000005
【図４】
2019163128.tif 000006
【図５】
2019163128.tif 000007
【図６】
2019163128.tif 000008
【図７】
2019163128.tif 000009
【図８】
2019163128.tif 000010
【図９】
2019163128.tif 000011
【図１０】
2019163128.tif 000012
【図１１】
2019163128.tif 000013
【図１２】
2019163128.tif 000014
【図１３】
2019163128.tif 000015
【図１４】
2019163128.tif 000016
【図１５】
2019163128.tif 000017
【図１６】
2019163128.tif 000018
【図１７】
2019163128.tif 000019
【図１８】
2019163128.tif 000020
【図１９】
2019163128.tif 000021
【図２０】
2019163128.tif 000022
【図２１】
2019163128.tif 000023
【図２２】
2019163128.tif 000024
【図２３】
2019163128.tif 000025